(57)【特許請求の範囲】
【請求項１】
決壊が発生している河川に対し該決壊個所より上流に渡されている橋梁上や川脇などからロープに導かれるようにしてブロック状で吸水質の堰き止め部材を流して該決壊個所に辿り着かせて流出を抑止してのち該決壊個所を土砂等で緊急に埋め合わせをして流出を封じるようにする水害防止方法。
【発明の詳細な説明】
【０００１】
【発明の属する技術分野】
この発明は、水害防止方法に関する。
【０００２】
【従来の技術】
例えば、先に発生した東海豪雨による水害は都市型水害の典型例であり、これから先もそのままではこうした都市型水害の発生する可能性が高い。
【０００３】
【発明が解決しようとする課題】
その対策として、下水道の大幹線を造るべきだとか種々の方法が考えられているが、余りにも大規模で巨費を投じる必要であるばかりでなく完成迄に数年ないし十数年を要するなど好ましいものではない。この発明はこうした問題を解決するためになされたものであり、既設の施設などをフルに利用して水害の防止を即効性をもって図るようにした水害防止方法を提供することにある。
【０００４】
【問題を解決するための手段】
前記課題を解決するため、請求項１記載の発明は、決壊が発生している河川に対し該決壊個所より上流に渡されている橋梁上や川脇などからロープに導かれるようにしてブロック状で吸水質の堰き止め部材を流して該決壊個所に辿り着かせて流出を抑止してのち該決壊個所を土砂等で緊急に埋め合わせをして流出を封じるようにする。
【０００５】
【発明の実施の形態】
以下、図示した実施形態を参照してこの発明を詳細に説明する。
【０００６】
図１及び図２はこの発明の一実施形態を示す。
【０００７】
図１はある公園の全体を示すもので、同公園１の外には道路２が、また、公園のすぐ近くには歩道３が設けられている。
【０００８】
公園１のぐるりには外縁部４が形成されるとともに出入口５，５が適宜に設けられている。そして、公園１内には中央小丘陵６が形成されている。
【０００９】
こうした公園１において、出入口５，５を残してぐるりに図２に示すような抗である支持ポール７…が打ち込まれて配列され、これら支持ポール７…を介して１ｍ前後の高さ（高さは限定されない）をなす囲繞材８…が連設されている。
前記支持ポール７は、リサイクル樹脂杭などで周方向の２か所に縦溝が形成されるとともに挿し込まれた囲繞材８…が止着具により止め付けられるようになっている。
前記囲繞材８は、リサイクル樹脂板や鋼板、波板あるいは樹脂板などが使用される。そして、出入口５，５の個所には土盛り９，９が臨時的に施工されて外部に雨水が漏れ出ないようにしてある。また、図２のように、囲繞材８…のあるものには、その上端に溢出口１０が形成されるとともに閉止具１１により適宜に開閉を選択できるような排水調整孔１２…が形成されている。
尚、前記中央小丘陵６にも、支持ポール７…により囲繞材８…を連設してもよい。
【００１０】
図３及び図４に示す実施形態は、パイプ状の抗１５の外周相対応する個所に縦向きに伸びた取付フランジ１６，１６を備え、これらのフランジ１６，１６に止着具１７…を介して板状の囲繞材１８…を装着したものである。図３の矢印は溜まる雨水による水圧のかかる方向を示すもので、その水圧を受けるため、囲繞材１８…の裏側に相当する外側に受材１９…を渡してある。
【００１１】
尚、囲繞材は、図示しないが一般に設置されている各種柵状構造体と雨水を受ける樹脂シートなどでもよい。柵状構造体に板状材を当ててその内側に樹脂シートなどを配したものでもよい。
【００１２】
図５（平面図）に示す実施形態は、公園２１に支持ポール２２…と囲繞材２３…により遊水池を構成したものにおいて、その出入口に設けられた土盛り２４内に炭等の浄化手段２５…を混合したものであり、これにより、排水管２６から出る雨水が浄化されるものとなる。
【００１３】
図６に示す実施形態は、樹脂シートなどの囲繞材２８をアーチ２９…と連結材３０…の組み合わせでなる受材３１…に添って配したもので、図ではその一部を示すもので、受材３１…は多数配列されて互いに連結などされるものであり、囲繞材２８は一定の幅をもち巻き物にされたビニールシートなどを使用して多数配列された受材３１…に垂らし掛けるようにしてゆく。同囲繞材２８は受材３１…に止め付けたりしてもよく、また、同囲繞材２８の雨水の溜まる側の裾部には土砂や砂礫などの重し３２を置いておくようにすれば水圧の作用もあって雨水が漏れ出さない。受材３１…は支持ポールで固定してもよい。
【００１４】
図７に示す実施形態は、公園などに施工される土盛り３４に排水管３５を通し、同管３５の内端にフィルター３６を備えてその中に炭や活性炭その他浄化材を入れて浄水化を図りながら排水するようにしたものであり、その土盛り３４上はハイレベルにくる雨水を流し出すための溢出口３７を凹状路として形成してある。
【００１５】
図８に示す実施形態は、一般家屋３９の外周囲を支持ポール４０…と囲繞材４１…によりぐるりと囲繞したもので、囲繞により遊水池として機能するようにした内庭に溜まることのある雨水を想定して高い上面をもつ飛び石４２…と玄関迄の誘導路４３を構成したものである。４４は囲繞材４１を越えて出入りするための出入り階段である。
尚、同実施形態では家屋を対象としたが、例えば、学校に対してもそれを大きくぐるりと囲繞して遊水池としたり、○○番地全体、○丁目全体などを１つの区画としてこれをぐるりと囲繞して遊水池として構成してもよい。
【００１６】
図９及び図１０に示す実施形態は、一般家屋４６に構成された既設の床下換気口４７を通じての浸水を防止するため、この換気口４７に嵌まり込み上方へ伸びる補助換気管４８を臨時的あるいは常時構成したものである。補助換気口４９のレベルが高くなるので家屋への浸水が防止される。また、玄関５０からの浸水も想定されるため、土盛り５１などの方法で浸水を防止するようにしてもよい。
【００１７】
図１１及び図１２に示す実施形態は、幹線道路（あるいはこれに分岐する道路でもよい）５３の両脇に排水溝５４，５４と歩道５５，５５が設けられたものにおいて、道路５３からの雨水は上蓋５６付排水枡５７を通じて排水管５８に流れ込むようになっているが、この排水機能を臨時的に停止させて道路５３上の凹状スペースを遊水池として活用しようとするものである。
【００１８】
５９は排水機能付の堰き止め部材でコンクリートあるいは金属板等で作製され、同堰き止め部材５９は、上からみてコの字形あるいは口形をしたもので排水溝５４内から道路５３上に渡るようにセットされるものであり、道路５３上に降り注ぐ雨水の流出を停止させる一方排水調整孔６０…により常時一定の微量排水が可能であるとともに溢出口６１を通じてオーバーフローも可能になっている。
【００１９】
側脇ブロック６２の高さレベル迄雨水が溜まるが、その溜まるレベルは車両６３の走行を可能とするものとされるが、特にマフラー６４についてはその出口高さを高く上向き曲管状に形成してもよい。尚、図１２に示すように、側脇ブロック６２から立ち上がり状の囲繞材６５…を配備してもよい。この囲繞材６５…は、常備しておいて矢印のように立ち上がるようにしたり別途用意して取り付けるようにしてもよい。ブロック６２の幅間に溝を形成してそこに囲繞材６５を収めておいて立ち上がるようにしてもよい。
【００２０】
図１３及び図１４に示す実施形態は、道路自体を雨水が一定の方向性をもって流れる臨時河川となし、同臨時河川を流れる雨水を本来の河川や海などに投入して水害を防止するシステムについての例である。
【００２１】
６７は既存の河川で、同河川６７の両脇には川突堤６８，６８が形成されるとともに、川突堤６８のすぐ外側方には（幹線）道路６９，７０が設けられている。各道路６９，７０にはそれぞれ平行状をなして縦向き内道路７１，７２，７３が設けられ、これらと直交して複数本の横向き内道路７４…が設けられている。
７５…はポンプ場で、本来は市街地からの排水を河川６７に投入するためのものになっているが、この実施形態では後述するようになっている。
【００２２】
道路６９，７０の両脇（あるいは川突堤がある場合には一側のみでもよい）には、図１３のＸ−Ｘ線断面図としての図１４に示すように、囲繞材７６，７６が立設されて臨時河川が形成されている。この囲繞材７６は、臨時的に設けられる場合と常設の場合とがあり、別途仕切部材を付加的に配備したりコンクリートで一体に形成したりする。
７７…は土盛り（仕切ゲートでもよい）で、横向き内道路７４…等の適所にそれぞれ配備され、その堰き止め機能により臨時河川６９，７０，７１，７２，７３が形成される。
【００２３】
豪雨の際には、図１３の河川６７以外の左右の領域に雨水が溜まるようになる。これらの雨水はそのまま溜まり放題にされるのでなく、臨時河川６９，７０，７１，７２，７３などを通じて矢印のように河川６７の下流方向に則して流される。この流れは、図１３の下側に示した投入ポンプ７８…により河川６７の下流側の直線部分等支障のない個所を選んで投入される。あるいは、海迄導いて投入するようにしてもよい。
【００２４】
この投入には、河川６７の流れエネルギーにより回転駆動される水車と連動手段及びポンプにより行うようにしてもよい。川突堤６８を貫通するように配管（バイパス）をしておき、同配管を通じて臨時河川６９…からの雨水を河川６７内に導入するようにしてもよい。河川６７側に臨む配管出口に負圧を作用させて臨時河川６９…側からの雨水を負圧吸引するようにしてもよい。
【００２５】
臨時河川６９，７０，７１，７２，７３には上流側の雨水の溜まる領域からの雨水が導入されるのであり、図１３においても適宜の簡易ポンプ７９…により市街区域からの雨水が導入されるようにして過剰水位になるのを阻止するようになっている。前記ポンプ場７５…からの河川への導入水は、河川へではなく、臨時河川６９…内に導入するようにしてもよい。
【００２６】
尚、図１３に仮想線で示すように、河川６７側において洪水が溢れる可能性が出た時に開かれる臨時ゲート８０により臨時河川６９…側に雨水を一部流し込んで決壊の危険を回避する場合もある。
【００２７】
また、臨時河川６９…や道路７４…などに相当する道路脇に配設される排水溝、排水枡などの排水系統は臨時的に閉止しておくようにする。
さらに、洪水処理を終えたあとは、図１４に示すように道路脇などに配備した道路洗浄手段８１…により洗浄処理しておくようにする。
【００２８】
また、図１５に示すように、例えば、臨時河川６９から土盛り７７を隔てたＢ地点に車両８２がある場合、信号８３及び迂回指示手段８４に基づき臨時河川６９のＡ地点方向への直進禁止を促すようにする。
さらに、図１６に示すように、臨時河川６９…内への他地からの導入を誘引管８５により行うようにしてもよい。
【００２９】
また、図１７は、臨時河川６９…を形成する囲繞材８６を既設の路脇ブロック８７上に一体あるいは別体式に付加するようにした例を示している。
さらに、図１８は、掘り下げにより路床８９を低くしてそこに流量の多い臨時河川９０を形成したものである。
【００３０】
図１９は付加的な提案例を示すもので、９２は河川、９３は橋梁を示し、この河川９２ではＹ個所において今決壊が発生している。河川９２上には繰り出し可能で川幅方向に移動自在なドラム９４が適数個用意され（緊急輸送してきたり常備しておいてもよい）ている。このドラム９４に巻かれたロープ９５には図２０に示すような吸水可能な軟質や固形のスポンジ状でブロック状の堰き止め部材９６…が取り付けられている（現場で取り付けられてもよい）。
【００３１】
この堰き止め部材９６…は、図示のようにロープ９５の橋上からの移動操作で決壊個所Ｙへと導かれる。その間、同堰き止め部材９６…は水を多量に含みＹ位置に辿り着き、それが複数個になることにより決壊Ｙは殆ど停止する。
尚、そのあとで決壊個所Ｙの上・下流側から土砂等の埋め合わせを緊急で行い、より完全に封じるようにする。
また、堰き止め部材９６は、ロープ９５なしで川脇などから適宜に投入することもできる。
さらに、堰き止め部材９６には、図２０に示すように、堰き止め部材９６には、決壊現場Ｙでの同堰き止め部材９６の係留性を高くするための重り９７…を付してもよい。
また、同堰き止め部材９６は図２１に示すように三角や四角錐、球など他の幾何学形状でもよい。さらに、堰き止め部材９６は、大小種々のものを織り混ぜて投入してもよい。また、堰き止め部材９６は、圧縮格納可能なものにしてもよい。その場合、スポンジ状のものの他、折り畳み可能な袋状のものでもよく、袋状のものの場合、吸水口を付したり、内部にスポンジ質のものを内封したりしてもよい。
【００３２】
尚、図１の公園（あるいは学校など広い敷地）１内には、通水可能な蓋１００付の排水枡１０１が埋め込まれ、排水管１０２を通じて公園１内の排水を行うように構成されている場合があるが、こうした排水手段を備えたものはそのままでは遊水池とした場合に雨水が多量に抜け出てしまうおそれがある。
【００３３】
そのため、図２２に示すように、金属板をリップ付でコの字形に折り曲げた制御ゲート１０３の１対をその上に設置して止着具１０４…で互いを筒状になるように一体化するとともに底部をコーキング手段などで水封状に施して勝手な排水を止めるようにすることもできる。同ゲート１０３には、溢出口１０５の他に排水調整孔１０６…を備える。尚、蓋１００の口１００ａ…とゲート１０３とを１本あるいは複数本のターンバックル１０７で固定化してもよい。
【００３４】
図２３に示すゲート１１０はコンクリート製で四角筒状のものであり、その上端には溢出口１１１が下端には排水調整口１１２がそれぞれ調節板１１３付で形成されているとともに、同ゲート１１０上には蓋１１４が被せられるようになっている。そしてコーキング手段などで水封状態に固定化される。尚、排水蓋１１５を取り除いて排水枡１１６内に嵌装されるようにゲート１１０を構成してもよい。また、ゲート１１０には排水用の裏配管１１７を接続してもよい。
【００３５】
また、図２４に示すように、ゲート１１８を設置した場合、その周りを中央陵１２０とともに仕切板１１９で仕切り、その中に炭や活性炭などの浄化材１２１…を入れて浄化が促進されるようにしてもよい。ゲート１１８内にも浄化材１２１…を袋詰めなどの方法で入れるようにしてもよい。
【００３６】
尚、図２５に示すように、ゲート１２３は円筒形であってもよい。また、図２６に示すように、灯油缶の上下を切除し残る胴部によりゲート１２５を作成してもよい。
【００３７】
この発明は以上のようであるので、既設の施設などをフルに利用して水害の防止を即効性をもって図るようにした水害防止システムを提供することができる。
【図面の簡単な説明】
【図１】この発明の一実施形態を示す公園における水害防止方法の平面図。
【図２】図１の外側面図。
【図３】他の実施形態を図４に対応して示す平面図。
【図４】図３の正面図。
【図５】他の実施形態を示す公園平面図。
【図６】他の実施形態を示す斜視図。
【図７】他の実施形態を示す断面図。
【図８】他の実施形態を示す平面図。
【図９】他の実施形態を図１０に対応して示す床下換気方式の正面図。
【図１０】図９の縦断面図。
【図１１】他の実施形態を示す道路平面図。
【図１２】図１１の縦断面図。
【図１３】水害対策の他の実施形態を示す平面図。
【図１４】図１３のＸ−Ｘ線断面図。
【図１５】交差点での迂回指示方法を示す平面図。
【図１６】他の実施形態を示す平面図。
【図１７】他の実施形態を示す道路縦断面図。
【図１８】道路を遊水池とする他の実施形態を示す縦断面図。
【図１９】河川の決壊を止める方法を示す平面図。
【図２０】堰き止め部材の一例を示す斜視図。
【図２１】堰き止め部材の他の実施形態を示す斜視図。
【図２２】公園内の排水を止める方法であるゲートを示す斜視図。
【図２３】公園内の排水を止める方法であるゲートの他の実施形態を示す斜視図。
【図２４】公園内にゲートを設置した場合の水浄化方法を示す平面図。
【図２５】ゲートの他の実施形態を示す斜視図。
【図２６】ゲートの他の実施形態を示す正面図。
【符号の説明】
１…公園  ７，１５，２２…支持ポール  ８，１８，２３，２８…囲繞材  ９，１８，２４…土盛り  ６９〜７３…臨時河川（道路）。
【図１】
0004613415.tif 000002
【図２】
0004613415.tif 000003
【図３】
0004613415.tif 000004
【図４】
0004613415.tif 000005
【図５】
0004613415.tif 000006
【図６】
0004613415.tif 000007
【図７】
0004613415.tif 000008
【図８】
0004613415.tif 000009
【図９】
0004613415.tif 000010
【図１０】
0004613415.tif 000011
【図１１】
0004613415.tif 000012
【図１２】
0004613415.tif 000013
【図１３】
0004613415.tif 000014
【図１４】
0004613415.tif 000015
【図１５】
0004613415.tif 000016
【図１６】
0004613415.tif 000017
【図１７】
0004613415.tif 000018
【図１８】
0004613415.tif 000019
【図１９】
0004613415.tif 000020
【図２０】
0004613415.tif 000021
【図２１】
0004613415.tif 000022
【図２２】
0004613415.tif 000023
【図２３】
0004613415.tif 000024
【図２４】
0004613415.tif 000025
【図２５】
0004613415.tif 000026
【図２６】
0004613415.tif 000027